(57)【要約】【課題】簡単にかつ手軽に倍率を変更して接写等の撮影を可能とする。【解決手段】操作者は、例えば至近距離の机上の印刷物を撮影したいと考えた場合は、撮影窓部の磁性体の上面と撮影補助部材７の永久磁石の下面とを互いに対向させた後、保持部材３３の下面周縁部を上側筐体１８の外面に当接させ、かつ、永久磁石の突出部分の外周面を部材収納凹部の内壁面に当接させて、撮影補助部材７を撮影窓部６に係合するようにして装着する。ここで、接写レンズ３１は、光軸が合わせられた状態で配置され、磁性体の上面と永久磁石の下面との間は、所定の離隔が保たれている。こうして、標準レンズであるカメラレンズと接写レンズ３１とを組み合わせた状態で、撮影が行われる。なお、例えば比較的遠方の風景を撮影したいと考えた場合は、撮影補助部材７を撮影窓部から外した状態で撮影を行う。【選択図】  図１
2004158930.tif 000002
【特許請求の範囲】
【請求項１】
カメラ収納部位又はカメラ収納部位に対応する箇所に撮影用開口が穿孔された筐体と、
前記カメラ収納部位に収納された、主レンズ付きの内蔵カメラと、
前記撮影用開口まわりに、前記内蔵カメラとの関連で用いられるカメラ関連部品を磁気的に着脱自在に取り付ける磁気的固定手段と
を備えたことを特徴とするカメラ内蔵の携帯型電子機器。
【請求項２】
前記カメラ関連部品には、前記磁気的固定手段と対構造をなす、磁性部材からなる被固定部が設けられていることを特徴とする請求項１記載のカメラ内蔵の携帯型電子機器。
【請求項３】
前記カメラ関連部品は、前記撮影用開口まわりに、位置決めされた状態で、着脱自在に取り付けられる構成になされていることを特徴とする請求項１又は２記載のカメラ内蔵の携帯型電子機器。
【請求項４】
前記カメラ関連部品は、前記主レンズとの組み合わせで用いられる補助レンズ、フィルタ、プリズム又はミラーを有することを特徴とする請求項１、２又は３記載のカメラ内蔵の携帯型電子機器。
【請求項５】
前記撮影用開口まわりに形成された第１の係合段部と、前記被固定部に形成された第２の係合段部とが係合することによって、
前記カメラ関連部品を構成する前記補助レンズが、少なくとも光軸が合わせられた状態で前記主レンズに対して位置決めされることを特徴とする請求項４記載のカメラ内蔵の携帯型電子機器。
【請求項６】
前記磁気的固定手段と前記被固定部とのそれぞれの吸引面同士を、所定の幅の間隙を隔てて互いに対向させた状態で、前記カメラ関連部品が前記撮影用開口まわりに固定されることを特徴とする請求項２乃至５のいずれか１に記載のカメラ内蔵の携帯型電子機器。
【請求項７】
前記カメラ関連部品は、紐状又は鎖状の取付部材によって、前記筐体に取り付けられていることを特徴とする請求項１乃至６のいずれか１に記載のカメラ内蔵の携帯型電子機器。
【発明の詳細な説明】
【０００１】
【発明の属する技術分野】
この発明は、撮影機能を有する携帯型電子機器に係り、例えば電子カメラが搭載された携帯電話機等のカメラ内蔵の携帯型電子機器に関する。
【０００２】
【従来の技術】
近年、携帯型電子機器としての携帯電話機には、本来の通話機能や、データ通信機能のみならず、電子カメラが搭載されたものも一般化されてきており（例えば、特許文献１参照。）、電子メールの送受信に際して、送信者は、周囲の風景や自分自身の顔等を画像データとして添付して受信者側に送信し、受信者はディスプレイ上で相手の様子等を確認することができるようになっている。
このような撮影機能を有する例えば折畳型の携帯電話機１０１には、図１６に示すように、筐体１０２の背面側（折畳時には外面側となる側）には電子カメラの撮影窓１０３が設けられ、この撮影窓１０３の内部側にカメラレンズ１０４が配置されている。
また、筐体１０２の正面側（折畳時には内面側となる側）には、表示部や操作部が設けられ、表示部にはカメラレンズ１０４の前方の映像が映し出されるようになっている。操作者（撮影者）は、表示部の映像を見ながら被写体の範囲の確認や構図の決定を行う。
【０００３】
しかしながら、携帯電話機１０１に搭載された電子カメラでは、例えば標準で設定された倍率でしか撮影することができず、倍率を変更して接写等を行うことができなかった。
したがって、例えば、机上の印刷物を精細に撮影して、画像データとして添付して、受信者側に送信するようなことができなかった。このように、撮影目的や撮影状況に応じた所望の画像が得られないという問題があった。
このため、接写レンズを内蔵させて、接写を行うことができるようにした技術が提案されている。
【０００４】
【特許文献１】
特開２００１−２４５２６７号公報
【０００５】
【発明が解決しようとする課題】
しかしながら、この接写レンズを内蔵したカメラ付きの携帯電話機では、標準レンズのほかに接写レンズが増設されているので、筐体の厚さが増大し、小型化の妨げとなるという問題があった。
【０００６】
この発明は、上述の事情に鑑みてなされたもので、筐体の小型化の妨げとなることなく、簡単にかつ手軽に、例えば倍率を変更して、接写等を行うことができ、撮影目的や撮影状況に応じた撮影が可能なカメラ内蔵の携帯型電子機器を提供することを目的としている。
【０００７】
【課題を解決するための手段】
上記課題を解決するために、請求項１記載の発明に係るカメラ内蔵の携帯型電子機器は、カメラ収納部位又はカメラ収納部位に対応する箇所に撮影用開口が穿孔された筐体と、上記カメラ収納部位に収納された、主レンズ付きの内蔵カメラと、上記撮影用開口まわりに、上記内蔵カメラとの関連で用いられるカメラ関連部品を磁気的に着脱自在に取り付ける磁気的固定手段とを備えたことを特徴としている。
【０００８】
請求項２記載の発明は、請求項１記載のカメラ内蔵の携帯型電子機器に係り、上記カメラ関連部品には、上記磁気的固定手段と対構造をなす、磁性部材からなる被固定部が設けられていることを特徴としている。
【０００９】
請求項３記載の発明は、請求項１又は２記載のカメラ内蔵の携帯型電子機器に係り、上記カメラ関連部品は、上記撮影用開口まわりに、位置決めされた状態で、着脱自在に取り付けられる構成になされていることを特徴としている。
【００１０】
請求項４記載の発明は、請求項１、２又は３記載のカメラ内蔵の携帯型電子機器に係り、上記カメラ関連部品は、上記主レンズとの組み合わせで用いられる補助レンズ、フィルタ、プリズム又はミラーを有することを特徴としている。
【００１１】
請求項５記載の発明は、請求項４記載のカメラ内蔵の携帯型電子機器に係り、上記撮影用開口まわりに形成された第１の係合段部と、上記被固定部に形成された第２の係合段部とが係合することによって、上記カメラ関連部品を構成する上記補助レンズが、少なくとも光軸が合わせられた状態で上記主レンズに対して位置決めされることを特徴としている。
【００１２】
請求項６記載の発明は、請求項２乃至５のいずれか１に記載のカメラ内蔵の携帯型電子機器に係り、記磁気的固定手段と上記被固定部とのそれぞれの吸引面同士を、所定の幅の間隙を隔てて互いに対向させた状態で、上記カメラ関連部品が上記撮影用開口まわりに固定されることを特徴としている。
【００１３】
請求項７記載の発明は、請求項１乃至６のいずれか１に記載のカメラ内蔵の携帯型電子機器に係り、上記カメラ関連部品は、紐状又は鎖状の取付部材によって、上記筐体に取り付けられていることを特徴としている。
【００１４】
【発明の実施の形態】
以下、図面を参照して、この発明の実施の形態について説明する。説明は、実施例を用いて具体的に行う。
◇第１実施例
図１は、この発明の第１実施例である折畳型の携帯電話機の構成を示す斜視図であって、同携帯電話機の筐体が開いた状態で、同携帯電話機の撮影補助部材を同筐体に装着した様子を、背面側から見た図、図２は、同携帯電話機の構成を示す斜視図であって、同携帯電話機の筐体が閉じた状態で、同撮影補助部材を同筐体に装着した様子を示す図、図３は、同携帯電話機の構成を示す斜視図であって、同筐体が開いた状態の様子を、正面側から見た図、図４は、同携帯電話機の構成を示すブロック図、図５は、同携帯電話機の同撮影補助部材の構成及び同筐体への装着状態を説明するための模式的な断面図、図６は、同撮影補助部材の構成を示す平面図、図７は、同撮影補助部材の構成を示す下面図、図８は、同撮影補助部材の構成を示す断面図、図９は、同撮影補助部材の構成を示す側面図、図１０は、同携帯電話機の構成を示す斜視図であって、同筐体が開いた状態で、同撮影補助部材を同筐体に装着していない時の様子を、背面側から見た図、図１１は、同携帯電話機の構成を示す斜視図であって、同携帯電話機の同筐体が閉じた状態で、同撮影補助部材を同筐体に装着していない時の様子を示す図、また、図１２は、同撮影補助部材を同筐体へ装着する方法を説明するための模式的な断面図である。
【００１５】
この例の携帯電話機（カメラ内蔵の携帯型電子機器）１は、図１乃至図３に示すように、折畳可能な筐体２を備えると共に、本来の通話機能や、例えばインターネットに接続してホームページの閲覧や電子メールの送受信が可能なデータ通信機能に加えて、内蔵された電子カメラによる撮影機能を有し、図１乃至図４に示すように、当該携帯電話機本体の構成各部を制御する制御部３と、制御部３が実行する処理プログラムや各種データ等を記憶するための記憶部４と、例えば周囲の風景や人物等を撮影する電子カメラユニット（内蔵カメラ）５と、筐体２に形成された後述する撮影窓部６に着脱自在に装着され、例えば接写を行う際に用いられる外付けの撮影補助部材（カメラ関連部品）７と、電波の送受信を行うアンテナ８と、音声やデータを変調してアンテナ８を介して無線電波として送信すると共に、無線電波をアンテナ８を介して受信して音声やデータに復調し、所定のプロトコルに従って通話やデータ通信を行うために用いられる無線通信部９と、各種操作キー等からなる操作部１１と、折畳時に内側となる側に配設され液晶表示装置からなる主表示部１２ａと、折畳時に外側となる側に配設され液晶表示装置からなる補助表示部１２ｂと、音声出力用のスピーカ１３と、音声入力用のマイクロフォン１４とを備えている。
【００１６】
筐体２は、ヒンジ部１７で相互に結合された上側筐体１８と下側筐体１９とからなり、ヒンジ部１７は、上側筐体１８と下側筐体１９とを回転自在に結合して当該携帯電話機１に折畳可能な構造を付与している。
制御部３は、例えば電子カメラユニット５で得られた画像データを主表示部１２ａ、補助表示部１２ｂに表示させるための表示制御プログラムや、ホームページを閲覧するためのプログラムとしてのブラウザ、電子メールを作成したり送受信するためのプログラムとしてのメーラ等の記憶部４に記憶された各種処理プログラムを実行し、記憶部４に確保された各種レジスタやフラグを用いて、構成各部を制御する。
記憶部４は、ＲＯＭ、ＲＡＭ等の半導体メモリからなり、この記憶部４には、制御部３が実行する上記表示制御プログラム等の各種処理プログラムや、受信した情報や電子カメラユニット５によって撮影された画像データ等の各種情報等が記憶されると共に、制御部３がプログラム実行時に用いる各種レジスタやフラグが確保されている。
【００１７】
電子カメラユニット５は、図１、図２及び図４に示すように、上側筐体１８の折畳時に外側となる面に設けられ、被写体から到来した光が入射する撮影窓部６と、撮影窓部６の近傍に配置された例えば標準レンズからなるカメラレンズ（主レンズ）２１と、カメラレンズ２１を介して結像した画像を光電変換して電気信号としての画像信号を出力するＣＣＤ撮像素子等からなる撮像デバイス２２と、撮像デバイス２２から送られてきた画像信号をＡ／Ｄ変換し、デジタル化した信号にガンマ変換、色空間変換等の画像処理を施す画像処理部２３とを有している。
【００１８】
撮影窓部６は、図５に示すように、上側筐体１８の折畳時に外側となる面側のカメラレンズ２１の配置位置に対応した箇所に形成された断面円形の部材収納凹部（撮影用開口）２５に、アクリル製の円板状の光透過板２６と、例えばニッケルからなる円環状の磁性体（磁気的固定手段、磁性部材）２７とが順に積層された状態で配置されてなっている。
部材収納凹部２５は、内部側に断面円環状の突部が形成され、この突部の表面（外側の面）は、光透過板２６の下面周縁部が当接される部材載置面２５ａとされている。
光透過板２６の径及び磁性体２７の外径は、部材収納凹部２５の断面の径に略等しく設定され、光透過板２６及び磁性体２７は、部材収納凹部２５内部に嵌め込まれた状態で収納される。
【００１９】
撮影補助部材７は、図５乃至図９に示すように、例えばプラスチック製の接写レンズ（補助レンズ）３１と、例えばフェライト磁石からなる円環状の永久磁石（被固定部、磁性部材）３２と、接写レンズ３１や永久磁石３２を保持する保持部材３３と、保持部材３３と一体的に成形され、一端側が筐体２の所定の部位に取り付けられた輪状の扁平な取付紐部材（取付部材）３４が取り付けられた紐取付部３５とを有している。
保持部材３３は、接写レンズ３１の周縁部を保持すると共に、下面側（撮影窓部６に取り付けられる側）では断面円環状の溝部３３ａに上部が嵌め込まれ、下部が突出した状態の永久磁石３２を保持している。
【００２０】
永久磁石３２の外径は、部材収納凹部２５の断面の径に略等しく設定され、永久磁石３２は、その下部が突出した状態で保持部材３３に取り付けられている。永久磁石３２の突出した部分は、撮影窓部６の縁部（第１の係合段部）と係合する凸部（第２の係合段部）として機能する。
これにより、撮影補助部材７が撮影窓部６に装着された場合は、保持部材３３の下面周縁部が上側筐体１８の外面に当接し、かつ、永久磁石３２の突出部分の外周面が部材収納凹部２５の内壁面２５ｂに当接した状態で撮影補助部材７が撮影窓部６に係合し、接写レンズ３１の曲率中心が光学系の共通の光軸に一致し、接写レンズ３１の光軸上の配置位置（カメラレンズ２１からの距離）が調整された状態で、撮影補助部材７が位置決めされることとなる。
なお、この例では、所定の距離（例えば略５ｃｍ）で焦点が合うように設定されている。例えば、机上の印刷物を撮影するような場合は、操作者（撮影者）が、文字の大きさに応じて、被写体としての印刷物との間の距離を調整して、撮影を行う。
また、図５に示すように、部材収納凹部２５の内壁面２５ｂの高さ（すなわち、部材収納凹部２５の深さ）ｈと、永久磁石３２の保持部材３３の下面からの突出量ａとは、光透過板２６及び磁性体２７を配置し、さらに、撮影補助部材７を装着した状態で、磁性体２７の上面と永久磁石３２の下面との間の離隔ｄが所定の距離となるように設定されている。
これにより、装着時に永久磁石３２が磁性体２７に衝突して磁性体２７が破損することが回避される。
【００２１】
紐取付部３５は、輪状の扁平な取付紐部材３４を挿通するための挿通孔３５ａと、取付紐部材３４を挿通孔３５ａ内に引き込んだり挿通孔３５ａから引き出すための挿通孔３５ａ内と外部とを連通する切欠き部３５ｂとを有している。
切欠き部３５ｂは、所定の幅の空隙からなり、この空隙の幅は、所定の力で空隙内を取付紐部材３４を変形させながら移動させることによって、挿通孔３５ａ内に引き込むことが可能となる一方、一旦挿通孔３５ａ内に引き込んだ取付紐部材３４を空隙内を所定の力で再び変形させながら移動させることによって、挿通孔３５ａ内から引き出すことが可能となる所定の幅に設定されている。
したがって、撮影補助部材７に対して取付紐部材３４を所定の力で取付取外可能とされていると共に、挿通孔３５ａに取付紐部材３４を一旦通すと、容易に抜けて撮影補助部材７が脱落しないようになされている。
【００２２】
操作部１１は、電子カメラユニット５による撮影を可能とする撮影モードを選択すると共にシャッタ釦を兼ねる撮影モードキー１１ａや、電子メールの作成や送受信を行うためのメールモード選択キー、音声通話を行うために用いる通話モード選択キー、ブラウザを起動させてホームページを閲覧するためのブラウザモード選択キー、撮影モード等から待受画面を表示して操作や着信を待機する待受モードへ移行させるためのクリアキー、電源キー、数字等を入力するためのテンキー、表示部１２に表示された表示画面上のカーソルを上下左右方向へ移動させるためのカーソルキー等が、下側筐体１９の折畳時に内側となる面に配列されてなっている。
主表示部１２ａは、上側筐体１８の折畳時に内側となる面に配設され例えば透過型の液晶表示装置からなっている。
補助表示部１２ｂは、上側筐体１８の折畳時に外側となる面の中央部に配設され、例えば透過型の液晶表示装置からなり、非撮影時には、現在時刻や着信通知等の表示がなされる。
【００２３】
次に、図１、図１０乃至図１２を参照して、この例の携帯電話機１の動作について説明する。
まず、電源投入後、制御部３は、操作者による入力操作や着信を待機する待受モードに入り、主表示部１２ａには待受画面を表示させる。
この状態において、操作者が、撮影モードキー１１ａを押下して、撮影モードを選択すると、撮影モードに移行する。
また、制御部３は、主表示部１２ａには、カメラレンズ２１の前方の被写体を画面表示すると共に、現在、撮影スタンバイ状態であり、再び撮影モードキー１１ａを押下することにより撮影可能である旨のメッセージを表示させる。
【００２４】
この状態において、操作者は、例えば至近距離の机上の印刷物を撮影したいと考えた場合は、図１に示すように、撮影補助部材７を撮影窓部６に装着する。
すなわち、図１２に示すように、撮影窓部６の磁性体２７の上面と撮影補助部材７の永久磁石３２の下面とを互いに対向させた後、保持部材３３の下面周縁部を上側筐体１８の外面に当接させ、かつ、永久磁石３２の突出部分の外周面を部材収納凹部２５の内壁面２５ｂに当接させて、撮影補助部材７が撮影窓部６に係合するようにして、撮影補助部材７を撮影窓部６に装着する。
ここで、接写レンズ３１は、光軸が合わせられた状態で配置されている。また、磁性体２７の上面と永久磁石３２の下面との間は、所定の離隔ｄが保たれている。
操作者は、標準レンズであるカメラレンズ２１と接写レンズ３１とを組み合わせた状態で、被写体に向けて、当該携帯電話機１を構え、主表示部１２ａに映し出された被写体の映像を見て、被写体としての印刷物の文字の大きさに応じて、印刷物との間の距離を調整し、かつ、好みの大きさや撮影範囲で映し出されるように、当該携帯電話機１の姿勢等を修正し構図を決定する。
【００２５】
構図を決定し撮影範囲等を確認したならば、操作者は撮影モードキー１１ａを再び押下する。
この操作によって、撮影画像が取り込まれ、制御部３は、撮影によって得られた画像データを画像処理部２３から受け取ると、記憶部４に格納し、この画像データに基づいて所定の表示信号を主表示部１２ａに与えて画像を表示させる。
この後、操作者が例えば友人宛てに電子メールに撮影した印刷物の画像を添付して送信したいと考えて、操作部１１のメールモード選択キーを押下してメールモードとし、送信操作を行った場合は、これによって、制御部３は、撮影によって得られた画像データを、無線通信部９を介して操作者が指定した他の携帯電話機等へ送信する。
【００２６】
また、操作者は、例えば比較的遠方の風景を撮影したいと考えた場合は、図１０に示すように、撮影補助部材７を撮影窓部６から外した状態で、カメラレンズ２１を被写体に向けて、当該携帯電話機を構え、主表示部１２ａに映し出された被写体の映像を見て、好みの大きさや撮影範囲で映し出されるように、当該携帯電話機の姿勢等を修正し構図を決定し、撮影モードキー１１ａを再び押下する。この後、操作者は、送信操作等を行う。
撮影が終了したならば、例えば、図１１に示すように、筐体２を折り畳んで閉じた状態で携帯する。図２に示すように、撮影補助部材７を撮影窓部６に装着したまま携帯しても良い。
【００２７】
この例の構成によれば、必要に応じて、撮影補助部材７を撮影窓部６に装着することによって簡単にかつ手軽に倍率を変更して、例えば接写等を行うことができるので、撮影目的や撮影状況に応じた撮影を行うことができる。しかも、撮影補助部材７は、必要なときに外付けするようにされているので、筐体の厚さが増大して小型化の妨げとなるようなことがない。
また、永久磁石３２の外径は、部材収納凹部２５の断面の径に略等しく設定され、永久磁石３２は、その下部が突出した状態で保持部材３３に取り付けられているため、撮影補助部材７が撮影窓部６に装着された場合は、保持部材３３の下面周縁部が上側筐体１８の外面に当接し、かつ、永久磁石３２の突出部分の外周面が部材収納凹部２５の内壁面２５ｂに当接した状態で撮影補助部材７が撮影窓部６に係合し、このとき、接写レンズ３１の曲率中心が光学系の共通の光軸に一致し、接写レンズ３１の光軸上の配置位置（カメラレンズ２１からの距離）が調整された状態で、撮影補助部材７が位置決めされるので、正確な撮影を行い、高品質の画像を得ることができる。
【００２８】
また、部材収納凹部２５の内壁面２５ｂの高さｈと、永久磁石３２の保持部材３３の下面からの突出量ａとは、光透過板２６及び磁性体２７を配置し、さらに、撮影補助部材７を装着した状態で、磁性体２７の上面と永久磁石３２の下面との間の離隔ｄが所定の距離となるように設定されているので、装着時に永久磁石３２が磁性体２７に衝突して磁性体２７が破損することが回避される。
また、撮影補助部材７は、取付紐部材３４を介して筐体２に取り付けるので、不意の脱落等による破損や紛失を防止することができる。
また、所定の力で切欠き部３５ｂの空隙内を取付紐部材３４を変形させながら移動させることによって、挿通孔３５ａ内に引き込み、一旦挿通孔３５ａ内に引き込んだ取付紐部材３４を空隙内を所定の力で再び変形させながら移動させることによって、挿通孔３５ａ内から引き出すことができるので、取付紐部材３４を撮影補助部材７に対して簡単に取付取外することができる。
【００２９】
◇第２実施例
図１３は、この発明の第２実施例である折畳型の携帯電話機の構成を示す斜視図であって、同携帯電話機の筐体が開いた状態で、同携帯電話機の撮影補助部材を同筐体に装着した様子を、背面側から見た図、また、図１４は、同携帯電話機の構成を示す斜視図であって、同筐体が開いた状態で、同撮影補助部材を同筐体に装着していない時の様子を、背面側から見た図である。
この例が上述した第１実施例と大きく異なるところは、図１３及び図１４に示すように、撮影補助部材７Ａの保持部材３３Ａ外周部に位置決め用の突起部３３ａを設け、かつ、撮影窓部６Ａの部材収納凹部の外面側縁部に対応する突起部３３ａと係合する位置決め用の溝部１８ａを設けた点である。
これ以外の構成は、上述した第１実施例と略同一であるので、その説明を簡略にする。
【００３０】
この例の携帯電話機（カメラ内蔵の携帯型電子機器）１Ａは、図１３及び図１４に示すように、ヒンジ部１７で相互に結合された上側筐体１８Ａと下側筐体１９とからなる折畳可能な筐体２Ａを備え、撮影窓部６Ａの部材収納凹部の外面側縁部には、位置決め用の溝部１８ａが設けられている。
また、撮影補助部材７Ａは、接写レンズ３１と、永久磁石３２と、接写レンズ３１や永久磁石３２を保持する保持部材３３Ａと、保持部材３３と一体的に成形された紐取付部３５とを有している。
この例では、保持部材３３Ａは、外周部に位置決め用の突起部３３ａが設けられ、装着時には、突起部３３ａが対応する溝部１８ａと係合することによって、位置決めがなされる。
【００３１】
この例の構成によれば、第１実施例で述べたのと略同一の効果を得ることができる。
また、撮影窓部６Ａの縁部と永久磁石３２の突出部分との係合に加え、対応する突起部３３ａと溝部１８ａとの係合によっても、位置決めがなされるので、接写レンズ３１を一段と確実に位置決めがなされた状態で取り付けることができる。
【００３２】
◇第３実施例
図１５は、この発明の第３実施例である折畳型の携帯電話機の構成を示す斜視図であって、同携帯電話機の筐体が閉じた状態で、同撮影補助部材を同筐体に装着した様子を示す図である。
この例が上述した第１実施例と大きく異なるところは、図１５に示すように、シャッタ釦として用いられる撮影モードキー１１ｂが、撮影窓６の近傍に設けられ、補助表示部１２ｂによって、例えば操作者が自分撮影時に筐体２が閉じた状態でも構図を確認して撮影できるように構成した点である。
これ以外の構成は、上述した第１実施例と略同一であるので、その説明を簡略にする。
【００３３】
この例の携帯電話機（カメラ内蔵の携帯型電子機器）１Ｂにおいては、図１５に示すように、撮影モードを選択すると共にシャッタ釦を兼ねる撮影モードキー１１ｂは、上側筐体１８の撮影窓６の近傍（例えば、図１５で、上側筐体１８の上端面）に設けられている。
撮影時に、操作者が、筐体２が閉じた状態で自分自身を撮影しようとした場合に、撮影モードキー１１ｂを押下すると、補助表示部１２ｂの画面には、被写体の映像が表示される。操作者が、構図を確認して再び撮影モードキー１１ｂを押下すると、撮影がなされる。
【００３４】
この例の構成によれば、第１実施例で述べたのと略同一の効果を得ることができる。
加えて、操作者は、筐体２を閉じた状態であっても、自分撮影時に構図を確認し、正確かつ円滑に撮影を行うことができる。
【００３５】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、携帯型電子機器として、携帯電話機を用いる場合について述べたが、携帯電話機に限らず、例えば、簡易型携帯電話（ＰＨＳ）端末でも、無線通信機能を有した携帯情報端末（ＰＤＡ）でも良く、携帯電話機の場合と略同一の効果を得ることができる。
また、必ずしも無線通信機能を有していなくても良く、デジタルカメラでも良いし、特に腕時計型のデジタルカメラでも良い。また、カメラが内蔵されたノート型パーソナルコンピュータ等であっても良い。
また、携帯電話機の場合は、必ずしも折畳可能な携帯電話機でなくても良い。
【００３６】
また、上述した実施例では、撮影窓部６を、上側筐体１８の折畳時に外側となる面に設けた場合について述べたが、撮影窓部の形成箇所は、この箇所に限定されるものではなく、上側筐体１８の折畳時に内側となる面に設けても良いし、側面部や上端面に設けても良い。また、下側筐体１９に設けても良い。
もちろん、折畳可能な型以外の携帯電話機に適用した場合でも、撮影窓部の形成箇所は特に限定されず、主表示部が設けられた表面側であっても、裏面側であっても、さらに側面部や上端面、下端面であっても良い。
また、上述した実施例では、表示部において用いる表示素子として液晶表示素子を用いる場合について述べたが、これに限らず、例えば、ＥＬ表示素子を用いるようにしても良い。また、プラズマディスプレイを用いても良い。
また、上述した実施例では、電子カメラユニットで撮影した静止画を送信する場合について述べたが、当該携帯電話機をテレビ電話として用いるようにしても良い。
【００３７】
また、補助レンズとしては、接写レンズに限らず、望遠レンズや広角レンズであっても良い。また、カメラ関連部品としては、フィルタであっても良いし、レンズを覆うキャップやフード等であっても良い。
ここで、フィルタとしては、例えば紫外線等をカットするためのフィルタのほか、入射光の分光組成を変えずに減光するＮＤフィルタ、被写体の反射を抑える偏光フィルタ、さらに、例えばセピア色を得るための所定の分光透過特性を有するフィルタやぼかしのための特殊効果用フィルタ等を含む。
また、光学部品として、自分撮影時の構図決定用の鏡を、筐体の例えば撮影窓の下部に、配置するようにし、この鏡を着脱自在に取り付けるように構成しても良い。
また、固定されたカメラレンズも標準レンズに限らない。また、複数のカメラレンズを設けて選択可能なように構成しても良い。また、電子カメラユニットを、電子ズーム機能を備えたものとしても良い。また、接写レンズの材料としては、プラスチックに限らず、光学ガラスを用いても良い。
【００３８】
また、補助レンズを保持する保持部材に設ける永久磁石としてボンド磁石を用い、保持部材と一体的に成型して製造するようにしても良い。
また、筐体側に永久磁石を配置して、撮影補助部材側に永久磁石又は磁性体を配置するようにしても良い。
また、磁性体としては、ニッケルに限らずフェライト等を用いても良い。また、永久磁石としては、フェライト磁石に限らず、例えばサマリウム・コバルト磁石やネオジム・鉄・ボロン磁石等であっても良い。
また、永久磁石として、プラスチックと永久磁石粉とから成形したボンド磁石を用いても良いし、永久磁石としての例えばフェライト磁石粉とゴム（例えばウレタンゴムやシリコンゴム）とからなり、磁場を発生すると共に弾性を有するボンド磁石を用いても良い。
また、撮影補助部材を、非使用時に筐体の撮影窓部以外の部位に固着したり、筐体内に格納可能なように構成しても良い。
また、撮影窓部において、アクリル製の光透過板と、ニッケルからなる磁性体とを順に積層して配置する場合について述べたが、例えば、光透過板にニッケルを蒸着して一体化したものを用いるようにしても良い。
【００３９】
また、取付紐部材には、複数種類の補助レンズを取り付けるようにし、状況に応じて選択可能なように構成しても良い。
また、第１実施例では、撮影モードキー１１ａにシャッタ釦の機能を兼ねさせたが、別に専用のシャッタ釦を、例えば上側筐体１８の上側端部に設けるようにしても良い。
また、第１実施例では、撮影モードキーを２回押下することによって撮影がなされることとしたが、セルフタイマを備えて一定時間後に撮影がなされるようにしても良い。この際、撮影モードでは、着信通知ランプを上記一定時間点滅させるように構成しても良い。
【００４０】
また、電子カメラユニットの撮影窓部６及びカメラレンズ２１を携帯電話機の上側筐体１８の折畳時に内側となる面に設けるようにしても良い。
また、第２実施例では、位置決めのために、撮影補助部材７Ａの保持部材３３Ａ外周部に位置決め用の突起部３３ａを設け、かつ、撮影窓部６Ａの部材収納凹部の外面側縁部に、対応する突起部３３ａと係合する位置決め用の溝部１８ａを設ける場合について述べたが、突起部と孔部との組み合わせでも良い。
また、凸部と凹部との組み合わせであれば形状も問わない。例えば、保持部材の外形を特定の模様やキャラクタをかたどったものとしても良い。
【００４１】
【発明の効果】
以上説明したように、この発明の構成によれば、必要に応じて、カメラ関連部品を撮影用開口まわりに固定することによって、簡単にかつ手軽に例えば倍率を変更して、接写等を行うことができるので、撮影目的や撮影状況に応じた撮影を行うことができる。しかも、カメラ関連部品は、必要なときに外付けするようにされているので、筐体の厚さが増大して小型化の妨げとなるようなことがない。また、例えば第１の係合段部と第２の係合段部とを係合させて、位置決めした状態でカメラ関連部品を撮影用開口まわりに固定することによって、例えば補助レンズの曲率中心が光学系の共通の光軸に一致するように調整された状態で、補助レンズ等が位置決めされるので、正確な撮影を行い、高品質の画像を得ることができる。
また、例えば、磁性体と永久磁石とを、それぞれの吸引面同士を所定の幅の間隙を隔てて互いに対向させた状態で、カメラ関連部品を撮影用開口まわりに固定することによって、装着時に永久磁石が磁性体に衝突して磁性体が破損することが回避される。
また、カメラ関連部品を取付部材を介して筐体に取り付けることによって、不意の脱落等による補助レンズ等の破損や紛失を防止することができる。
【図面の簡単な説明】
【図１】この発明の第１実施例である折畳型の携帯電話機の構成を示す斜視図であって、同携帯電話機の筐体が開いた状態で、同携帯電話機の撮影補助部材を同筐体に装着した様子を、背面側から見た図である。
【図２】同携帯電話機の構成を示す斜視図であって、同携帯電話機の筐体が閉じた状態で、同撮影補助部材を同筐体に装着した様子を示す図である。
【図３】同携帯電話機の構成を示す斜視図であって、同筐体が開いた状態の様子を、正面側から見た図である。
【図４】同携帯電話機の構成を示すブロック図である。
【図５】同携帯電話機の同撮影補助部材の構成及び同筐体への装着状態を説明するための模式的な断面図である。
【図６】同撮影補助部材の構成を示す平面図である。
【図７】同撮影補助部材の構成を示す下面図である。
【図８】同撮影補助部材の構成を示す断面図である。
【図９】同撮影補助部材の構成を示す側面図である。
【図１０】同携帯電話機の構成を示す斜視図であって、同筐体が開いた状態で、同撮影補助部材を同筐体に装着していない時の様子を、背面側から見た図である。
【図１１】同携帯電話機の構成を示す斜視図であって、同携帯電話機の同筐体が閉じた状態で、同撮影補助部材を同筐体に装着していない時の様子を示す図である。
【図１２】同撮影補助部材を同筐体へ装着する方法を説明するための模式的な断面図である。
【図１３】この発明の第２実施例である折畳型の携帯電話機の構成を示す斜視図であって、同携帯電話機の筐体が開いた状態で、同携帯電話機の撮影補助部材を同筐体に装着した様子を、背面側から見た図である。
【図１４】同携帯電話機の構成を示す斜視図であって、同筐体が開いた状態で、同撮影補助部材を同筐体に装着していない時の様子を、背面側から見た図である。
【図１５】この発明の第３実施例である折畳型の携帯電話機の構成を示す斜視図であって、同携帯電話機の筐体が閉じた状態で、同撮影補助部材を同筐体に装着した様子を示す図である。
【図１６】従来技術を説明するための説明図である。
【符号の説明】
１、１Ａ、１Ｂ      携帯電話機（カメラ内蔵の携帯型電子機器）
２、２Ａ      筐体
５      電子カメラユニット（内蔵カメラ）
６、６Ａ      撮影窓部
７、７Ａ      撮影補助部材（カメラ関連部品）
１１      操作部
１１ａ、１１ｂ      撮影モードキー
１２ａ      主表示部
１２ｂ      補助表示部
１８      上側筐体
１８ａ      溝部
１９      下側筐体
２１      カメラレンズ（主レンズ）
２５      部材収納凹部（撮影用開口）
２６      光透過板
２７      磁性体（磁気的固定手段、磁性部材）
３１      接写レンズ（補助レンズ）
３２      永久磁石（被固定部、磁性部材）
３３、３３Ａ      保持部材
３３ａ      突起部
３４      取付紐部材（取付部材）
３５      紐取付部
【図１】
2004158930.tif 000003
【図２】
2004158930.tif 000004
【図３】
2004158930.tif 000005
【図４】
2004158930.tif 000006
【図５】
2004158930.tif 000007
【図６】
2004158930.tif 000008
【図７】
2004158930.tif 000009
【図８】
2004158930.tif 000010
【図９】
2004158930.tif 000011
【図１０】
2004158930.tif 000012
【図１１】
2004158930.tif 000013
【図１２】
2004158930.tif 000014
【図１３】
2004158930.tif 000015
【図１４】
2004158930.tif 000016
【図１５】
2004158930.tif 000017
【図１６】
2004158930.tif 000018